(57)【特許請求の範囲】
【請求項１】
電気部品を載置する載置部を有するソケット本体と、該ソケット本体に取り付けられて前記電気部品の端子に離接可能な複数のコンタクトピンと、前記ソケット本体に上下動自在に設けられた上部操作部材とを有し、
前記コンタクトピンには、前記端子に接触する可動接片が形成され、前記上部操作部材を上下動させることにより、前記可動接片が変位されて、前記端子に離接されるようにした電気部品用ソケットにおいて、
前記上部操作部材と前記ソケット本体との間に、前記可動接片より上側への前記端子の進入を阻止する飛込み阻止部が設けられ、該飛込み阻止部は、前記上部操作部材から下方に向けて延出して形成されると共に、前記上部操作部材の最上昇位置において、下端部が前記ソケット本体の前記載置部より下側に位置するように設定されていることを特徴とする電気部品用ソケット。
【請求項２】
前記ソケット本体の載置部の周囲の、前記電気部品の四隅に対応して、該電気部品の案内をするガイド部が設けられ、該ガイド部に隣接して、前記飛込み阻止部を設けたことを特徴とする請求項１記載の電気部品用ソケット。
【請求項３】
前記飛込み阻止部は、前記可動接片が挿入されるスリットが形成されていることを特徴とする請求項１又は２記載の電気部品用ソケット。
【発明の詳細な説明】
【０００１】
【発明の属する技術分野】
この発明は、半導体装置（以下「ＩＣパッケージ」という）等の電気部品を着脱自在に保持する電気部品用ソケット、特に、電気部品を所定の位置にセットするための改良がなされた電気部品用ソケットに関するものである。
【０００２】
【従来の技術】
従来からこの種の「電気部品用ソケット」としては、図６に示すように、「電気部品」であるＩＣパッケージ１を着脱自在に保持するＩＣソケット２がある。
【０００３】
このＩＣパッケージ１は、いわゆるガルウイングタイプと称されるもので、方形のパッケージ本体１ａから側方に向けて「端子」である複数のＩＣリード１ｂがクランク状に突出している。
【０００４】
一方、ＩＣソケット２は、ソケット本体３に、ＩＣパッケージ１を載置する載置部３ａが形成されると共に、方形のＩＣパッケージ１を所定の位置に位置決めするガイド部３ｂが、このＩＣパッケージ１の各角部に対応して設けられている。また、載置部３ａの周囲には、上方に突出する隔壁部３ｃが形成され、この隔壁部３ｃに複数のスリット３ｄが所定のピッチで形成されている。
【０００５】
また、このソケット本体３には、ＩＣパッケージ１のＩＣリード１ｂに離接される弾性変形可能なコンタクトピン４が複数配設されている。このコンタクトピン４は、ＩＣリード１ｂに離接される可動接片４ｃを有し、この可動接片４ｃがＩＣパッケージ１のＩＣリード１ｂの上面に離接されるようになっている。そして、これら各コンタクトピン４の可動接片４ｃが隔壁部３ｃの各スリット３ｄ内を移動可能に挿入されている。
【０００６】
さらに、ソケット本体３には、上部操作部材５が上下動自在に配設され、この上部操作部材５をコンタクトピン４の付勢力等に抗して下降させることにより、この上部操作部材５のカム部５ａにより、コンタクトピン４の操作片４ａが押圧される。これにより、このコンタクトピン４のバネ部４ｂが弾性変形されて前記ＩＣリード１ｂから可動接片４ｃが離間され、又、この上部操作部材５が上昇されることにより、そのバネ部４ｂの弾性力にて可動接片４ｃが復帰して前記ＩＣリード１ｂの上面に接触してこれを上方から押さえると共に、コンタクトピン４とＩＣリード１ｂとが導通されるようになっている。
【０００７】
【発明が解決しようとする課題】
しかしながら、このような従来のものにあっては、かかるＩＣソケット２を図示省略の一枚のプリント配線板上に多数配設し、これら多数のＩＣソケット２の上部操作部材５を同時に上方から押圧して下降させることにより、可動接片４ｃを斜め上方に変位させて、コンタクトピン４を開くようにしており、かかる荷重により、プリント配線板に撓みが発生してプリント配線板の中央部側に配置されたＩＣソケット２の上部操作部材５に押込み不足が生じることがある。この場合には、図６に示すように、コンタクトピン可動接片４ｃの上側において、ソケット本体３の隔壁部３ｃ上面と上部操作部材５との間に隙間ｃが発生することがあり、この状態で、ＩＣパッケージ１を載置部３ａ上に載置しようとすると、ＩＣパッケージ１のＩＣリード１ｂがその隙間ｃに飛び込んでしまい、このＩＣリード１ｂの変形や損傷が発生したり、着座不良を生じる虞がある。かかるＩＣリード１ｂの飛び込みは、特に方形のＩＣパッケージ１の各角部の近傍において発生しやすい。
【０００８】
ちなみに、正規の押込み量で上部操作部材５が下降されたときには、この上部操作部材５が隔壁部３ｃの上面に当接し、上記のような間隙ｃが発生することなく、この状態で、ＩＣパッケージ１が自動機からソケット本体３の載置部３ａ上に載置されるため、ＩＣリード１ｂの飛び込みが生じることはない。
【０００９】
そこで、この発明は、上部操作部材の押込み不足が生じた場合でも、ＩＣパッケージ等の電気部品の端子が、コンタクトピンの可動接片の上側に誤って挿入されてしまうようなことが無く、端子の変形や損傷並びに着座不良を防止することができる電気部品用ソケットを提供することを課題としている。
【００１０】
【課題を解決するための手段】
かかる課題を達成するために、請求項１に記載の発明は、電気部品を載置する載置部を有するソケット本体と、該ソケット本体に取り付けられて前記電気部品の端子に離接可能な複数のコンタクトピンと、前記ソケット本体に上下動自在に設けられた上部操作部材とを有し、前記コンタクトピンには、前記端子に接触する可動接片が形成され、前記上部操作部材を上下動させることにより、前記可動接片が変位されて、前記端子に離接されるようにした電気部品用ソケットにおいて、前記上部操作部材と前記ソケット本体との間に、前記可動接片より上側への前記端子の進入を阻止する飛込み阻止部が設けられ、該飛込み阻止部は、前記上部操作部材から下方に向けて延出して形成されると共に、前記上部操作部材の最上昇位置において、下端部が前記ソケット本体の前記載置部より下側に位置するように設定されている電気部品用ソケットとしたことを特徴とする。
【００１１】
請求項２に記載の発明は、請求項１に記載の構成に加え、前記ソケット本体の載置部の周囲の、前記電気部品の四隅に対応して、該電気部品の案内をするガイド部が設けられ、該ガイド部に隣接して、前記飛込み阻止部を設けたことを特徴とする。
【００１２】
請求項３に記載の発明は、請求項１又は２記載の構成に加え、前記飛込み阻止部は、前記可動接片が挿入されるスリットが形成されていることを特徴とする。
【００１４】
【発明の実施の形態】
以下、この発明の実施の形態について説明する。
【００１５】
［発明の実施の形態１］
図１乃至図４には、この発明の実施の形態１を示す。
【００１６】
まず構成を説明すると、図中符号１１は、「電気部品用ソケット」としてのＩＣソケットで、このＩＣソケット１１は、「電気部品」であるＩＣパッケージ１２の性能試験を行うために、このＩＣパッケージ１２の「端子」としてのＩＣリード１２ｂと、測定器（テスター）のプリント配線板（図示省略）との電気的接続を図るものである。
【００１７】
このＩＣパッケージ１２は、図１等に示すように、いわゆるガルウイングタイプと称されるもので、長方形状のパッケージ本体１２ａの対向する２辺から側方に向けて多数のＩＣリード１２ｂがクランク状に突出している。
【００１８】
一方、ＩＣソケット１１は、大略すると、プリント配線板上に装着されるソケット本体１３を有し、このソケット本体１３には、ＩＣパッケージ１２が上側に載置される載置部１３ａが形成されると共に、ＩＣパッケージ１２を所定の位置に位置決めするガイド部１３ｂがパッケージ本体１２ａの各角部に対応して設けられている。また、各ガイド部１３ｂの間で、載置部１３ａの周囲の対向する２辺には隔壁部１３ｃが形成され、この隔壁部１３ｃには多数のスリット１３ｄが所定の間隔で形成されている。
【００１９】
また、このソケット本体１３には、ＩＣリード１２ｂに離接される弾性変形可能なコンタクトピン１５が複数配設されると共に、これらコンタクトピン１５を弾性変形させる四角形の枠状の上部操作部材１６が上下動自在に配設されている。  そのコンタクトピン１５は、図１等に示すように、バネ性を有し、導電性に優れた材質で形成され、ソケット本体１３の載置部１３ａの外側位置に圧入されて配設されている。
【００２０】
詳しくは、コンタクトピン１５は、下部側に前記ソケット本体１３に固定される固定部１５ａが形成され、この固定部１５ａがソケット本体１３の開口部１３ｅに圧入固定されている。そして、この固定部１５ａから固定接片１５ｂ及び可動接片１５ｃが上方に向けて突設されている。
【００２１】
この固定接片１５ｂは、上端部に前記ＩＣリード１２ｂの下面に当接する固定側接触部１５ｄが形成されている。
【００２２】
また、可動接片１５ｃは、円弧状に湾曲するバネ部１５ｅが形成され、このバネ部１５ｅの上側に略水平にソケット本体１３中央部側に向けて延びる水平部１５ｆが形成され、この水平部１５ｆから斜め上方に延びる傾斜部１５ｇが形成され、更に、この傾斜部１５ｇの上端部からソケット本体１３中央部側に向けて水平に可動側接触部１５ｈが延設されている。この可動側接触部１５ｈが前記ＩＣリード１２ｂ上面に当接してこれを下方に押圧することにより、前記固定接片１５ｂの固定側接触部１５ｄとでＩＣリード１２ｂが挟持されるように構成されている。さらに、前記水平部１５ｆと分岐して上方に延びる操作片１５ｉが形成されている。
【００２３】
一方、前記固定部１２ａの下側には、図示省略のプリント配線板に接続されるリード部１５ｊが形成されている。
【００２４】
また、前記上部操作部材１６は、図１等に示すように、ＩＣパッケージ１２が挿入可能な大きさの開口１６ａ（ＩＣソケットの間口）を有し、この開口１６ａを介してＩＣパッケージ１２が挿入されて、ソケット本体１３の載置部１３ａの上側に載置されるようになっている。この上部操作部材１６は、ソケット本体１３に対して上下動自在に配設され、コンタクトピン１５により上方に付勢されると共に、最上昇位置で、図示省略の係止爪がソケット本体１３の被係止部に係止され、上部操作部材１６の外れが防止されるようになっている。
【００２５】
さらに、この上部操作部材１６には、前記コンタクトピン１５の操作片１５ｉに摺接するカム部１６ｂが形成され、この上部操作部材１６を下降させることにより、そのコンタクトピン１５の操作片１５iがそのカム部１６ｂに押圧されて、バネ部１５ｅが弾性変形され、可動側接触部１５ｈが斜め外側に向けて変位されるようになっている。
【００２６】
さらにまた、この上部操作部材１６には、前記可動接片１５ｃの上側へのＩＣリード１２ｂの進入（飛び込み）を阻止する飛込み阻止部１６ｃが、前記ソケット本体１３のガイド部１３ｂに隣接して計４ヶ所設けられている。なお、図４では、一つの飛込み阻止部１６ｃが形成された部分を示している。これら飛込み阻止部１６ｃは、下方に延出されて形成され、この部分においては、前記隔壁部１３ｃは形成されておらず、その飛込み阻止部１６ｃが隔壁部１３ｃの代わりをすべく、前記可動接片１５ｃが摺動可能に挿入されるスリット１６ｄが一ヶ所形成されている。そして、この飛込み阻止部１６ｃは、上部操作部材１６の最上昇位置において、下端部が、ソケット本体１３の載置部１３ａより下側に位置するように設定されており、この飛込み阻止部１６ｃが設けられた部分においては、従来のような間隙ｃは存在しない構成となっている。
【００２７】
しかも、この上部操作部材１６の前記開口１６ａの周縁部には、傾斜面１６ｅが形成され、この傾斜面１６ｅによりＩＣパッケージ１２がガイドされて、ソケット本体１３の載置部１３ａの所定位置に載置されるようになっていると共に、前記飛込み阻止部１６ｃには、その傾斜面１６ｅに連続する遮蔽側傾斜面１６ｆが形成され、更に、この遮蔽側傾斜面１６ｆの下端から略鉛直方向に延びる鉛直面１６ｇが形成されている。
【００２８】
次に、かかる構成のＩＣソケット１１の使用方法について説明する。
【００２９】
まず、予め、ＩＣソケット１１のコンタクトピン１５のリード部１５ｊをプリント配線板の挿通孔に挿入して半田付けすることにより、プリント配線板上に複数のＩＣソケット１１を配設しておく。
【００３０】
そして、かかるＩＣソケット１１にＩＣパッケージ１２を例えば自動機により以下のようにセットして電気的に接続する。
【００３１】
すなわち、自動機により、ＩＣパッケージ１２を保持した状態で、上部操作部材１６をコンタクトピン１５の付勢力に抗して下方に押圧して下降させる。すると、この上部操作部材１６のカム部１６ｂにより、コンタクトピン操作片１５ｉが押圧されて、バネ部１５ｅが弾性変形され、可動側接触部１５ｈが斜め上方に変位されて最大限に開かれ、ＩＣパッケージ１２挿入範囲から退避される（図１参照）。
【００３２】
この状態で、自動機からＩＣパッケージ１２を開放し、ソケット本体１３の載置部１３ａ上に載置する。この際には、従来例で説明したように、押込み不足により、ソケット本体１３の隔壁部１３ｃと上部操作部材１６との間に隙間ｃが発生している状態で、ＩＣパッケージ１２を開放することがある。
【００３３】
しかし、上部操作部材１６に飛込み阻止部１６ｃを形成することにより、この飛込み阻止部１６ｃが形成されている部分では、上記間隙ｃは生じていないことから、従来のようにＩＣパッケージ１２のＩＣリード１２ｂの飛び込みを防止できる。従って、ＩＣリード１２ｂが可動接片１５ｃの可動側接触部１５ｈの上側に位置することなく、所定の位置にＩＣパッケージ１２を載置できるため、ＩＣリード１２ｂの損傷や着座不良を防止できる。
【００３４】
特に、ＩＣリード１２ｂの飛び込みは、ＩＣパッケージ１２の角隅部に近いＩＣリード１２ｂにおいて発生し易いため、飛込み阻止部１６ｃをガイド部１３ｂに隣接して設けることにより、より確実に、且つ、効果的にＩＣリード１２ｂの損傷や着座不良を防止できる。
【００３５】
しかも、この飛込み阻止部１６ｃには、開口１６ａの傾斜面１６ｅに連続する遮蔽側傾斜面１６ｆを形成することにより、傾斜面１６ｅで案内したＩＣリード１２ｂをそのまま遮蔽側傾斜面１６ｆで案内することができ、ＩＣパッケージ１２を所定の位置に案内し易い。
【００３６】
次いで、自動機による上部操作部材１６の押圧力を解除すると、この上部操作部材１６がコンタクトピン１５の弾性力等により上昇し、バネ部１５ｅの弾性力により、コンタクトピン１５の可動接片１５ｃが戻り始める。そして、この上部操作部材１６が所定位置まで上昇した時点で、コンタクトピン１５の可動側接触部１５ｈが、位置決めされたＩＣパッケージ１２の所定のＩＣリード１２ｂの上面に当接して電気的に接続されることとなる。
【００３７】
［発明の実施の形態２］
図５には、この発明の実施の形態２を示す。
【００３８】
この発明の実施の形態２は、飛込み阻止部１３ｇがソケット本体１３側に形成されている点で、実施の形態１と異なっている。
【００３９】
すなわち、この飛込み阻止部１３ｇは、ガイド部１３ｂに隣接した位置に計４ヶ所設けられ、隔壁部１３ｃの一部を、この隔壁部１３ｃの他の部分より上方に延長することにより形成されている。この飛込み阻止部１３ｇが形成された部分に対応する上部操作部材１６には切欠き部１６ｈが形成されて、この切欠き部１６ｈにその飛込み阻止部１３ｇが摺動可能に挿入されている。
【００４０】
そして、この飛込み阻止部１３ｇの上部側には傾斜面１３ｈが形成され、この傾斜面１３ｈは、上部操作部材１６を押し込んだ位置で、図５に示すように、この上部操作部材１６の傾斜面１６ｅと略面一となるように形成されている。
【００４１】
このようなものにおいて上部操作部材１６の押込み不足が生じた場合でも、飛込み阻止部１３ｇが形成されている部分では、上述のような隙間ｃが生じることがないため、ＩＣリード１２ｂの飛び込みを防止でき、ＩＣリード１２ｂの損傷や着座不良を防止できることとなる。
【００４２】
また、この飛込み阻止部１３ｇに傾斜面１３ｈを形成することにより、ＩＣリード１２ｂを良好に案内できる結果、ＩＣパッケージ１２を所定の位置まで案内して載置できることとなる。
【００４３】
他の構成及び作用は実施の形態１と同様であるので説明を省略する。
【００４４】
なお、上記各実施の形態では、飛込み阻止部を上部操作部材又はソケット本体の何れかに形成しているが、両方に形成することもできる。また、飛込み阻止部をガイド部に隣接して設けているが、開口の全周に渡って設けても良い。さらに、上記各実施の形態では、「電気部品用ソケット」としてＩＣソケット１１に、この発明を適用したが、これに限らず、他の装置にも適用できることは勿論である。さらに、上記実施の形態１，２のコンタクトピン１５は、可動接片１５ｃ及び固定接片１５ｂが形成された、いわゆる２ポイント接触式のものであったが、これに限らず、固定接片１５ｃが形成されておらず、可動接片１５ｃのみ形成されているものでも良い。さらにまた、ＩＣリード１２ｂ（端子）の形状も、いわゆるガルウイングタイプに限らず、ストレートタイプ等にも適用できることは言うまでもない。
【００４５】
【発明の効果】
以上説明してきたように、各請求項に記載の発明によれば、飛込み阻止部を形成することにより、上部操作部材に押込み不足が生じたとしても、この飛込み阻止部が形成された部分では、ソケット本体側と上部操作部材との間に隙間が生じないように構成されていることから、可動接片より上側への電気部品の端子の進入（飛び込み）を防止でき、端子の変形や着座不良を未然に防止できる。
【００４６】
請求項２に記載の発明によれば、上記効果に加え、電気部品の端子の飛び込みは、電気部品の角隅部に近い端子において発生し易いため、飛込み阻止部をガイド部に隣接して設けることにより、より確実に、且つ、効果的に端子の損傷や電気部品の着座不良を防止できる、という実用上有益な効果を発揮する。
【図面の簡単な説明】
【図１】この発明の実施の形態１に係るＩＣソケットの上部操作部材を押し込んだ状態の縦断面図、中心線より右側は飛込み阻止部が形成されている部分、左側は飛込み阻止部が形成されていない部分の断面図である。
【図２】同実施の形態１に係る上部操作部材が最上昇位置にある状態を示す縦断面図である。
【図３】同実施の形態１に係るＩＣソケットの要部を示す飛込み阻止部等の正面図である。
【図４】同実施の形態１に係るＩＣソケットの要部を示す斜視図である。
【図５】この発明の実施の形態２に係る図１に相当する断面図である。
【図６】従来例を示すＩＣソケットの一部を示す断面図である。
【符号の説明】
11  ＩＣソケット（電気部品用ソケット）
12  ＩＣパッケージ（電気部品）
12a パッケージ本体
12b ＩＣリード（端子）
13  ソケット本体
13a 載置部
13b ガイド部
13c 隔壁部
13d スリット
13g 飛込み阻止部
15  コンタクトピン
15c 可動接片
15e バネ部
15h 可動側接触部
15i 操作片
16  上部操作部材
16b カム部
16c 飛込み阻止部
16d スリット
【図１】
0003768673.tif 000002
【図２】
0003768673.tif 000003
【図３】
0003768673.tif 000004
【図４】
0003768673.tif 000005
【図５】
0003768673.tif 000006
【図６】
0003768673.tif 000007